(57)【要約】【課題】複数の電気装置を接続して有効に電源供給を行う。【解決手段】蓄電素子３５を充放電回路３６で充放電し、電源供給が可能な電気装置２１から所定の入力電流以下に制限しつつ各電気装置に電源供給を行う。【選択図】図１
2005218149.tif 000002
【特許請求の範囲】
【請求項１】
複数の電気装置に接続可能な複数のコネクタと、蓄電素子と充放電回路を有し、前記電気装置の内の電源供給可能な電気装置が存在する場合には、供給された電源を各電気装置に供給するとともに、前記充放電回路は前記蓄電素子を充放電することにより、電源供給の不足を防ぐ電源中継装置。
【請求項２】
信号線を含むコネクタを３つ以上有し、ハブ動作を行う請求項１に記載の電源中継装置。
【請求項３】
蓄電素子は、電気二重層コンデンサとした請求項１または２記載の電源中継装置。
【請求項４】
蓄電素子電圧を検知する電圧検知手段と電圧表示手段を有し、蓄電素子の電圧値によって異なる表示を行う請求項１〜３のいずれか１項に記載の電源中継装置。
【請求項５】
無電源表示手段は、電源供給可能な電気装置がない場合にはその旨を表示する請求項１〜４のいずれか１項に記載の電源中継装置。
【請求項６】
充放電回路は、電流供給可能な電気装置から供給電流を検知する入力電流検知手段と、電流設定手段を有し、前記入力電流検知手段の出力が前記電流設定手段の出力に達した場合に前記蓄電素子を放電させてパワーを取り出し、前記供給電流を所定値以下に抑える請求項１〜５のいずれか１項に記載の電源中継装置。
【請求項７】
電流設定手段は出力値が可変である請求項６に記載の電源中継装置。
【請求項８】
入力電流検知手段を２つ以上のコネクタに設けた請求項６〜７のいずれか１項に記載の電源中継装置。
【請求項９】
追加の蓄電素子を接続する蓄電素子コネクタを有する請求項１〜８のいずれか１項に記載の電源中継装置。
【請求項１０】
蓄電素子に充電電流を供給する太陽電池を有する請求項１〜９のいずれか１項に記載の電源中継装置。
【発明の詳細な説明】
【技術分野】
【０００１】
本発明は、業務用や一般家庭用として使用される情報機器などに使用され、複数の電気装置に合理的に電源を供給して動作させる電源中継装置に関するものである。
【背景技術】
【０００２】
従来から複数個の電気装置を接続して使用する場合には、各電気装置毎に例えば商用電源を５ボルト等の直流電源に変換して使用する電源回路を設けたものがよく用いられていたが、例えばパソコン周辺機器については、電源回路を持たないものも、接続された他の機器からの電源供給によって動作させる構成のものが発生してきている。
【０００３】
この種の装置は、例えばパソコン周辺機器となる接続された複数個の電気装置に対して、ＵＳＢポートから直流電源を供給して動作させ、比較的消費電力の大きい機器の場合には、ＡＣコンセントに接続したＡＣアダプタを通じて電源の供給が行われる（例えば、特許文献１参照）。
【０００４】
図３は、特許文献１に記載された従来のＵＳＢハブの回路図を示すものである。図３に示すように、複数のＵＳＢポート１２、およびこれらのＵＳＢポートを相互に接続するＵＳＢハブ回路１３を設けるとともに、所定電圧の直流電圧を供給する電源部１５と少なくとも１つのＡＣコンセント１６、商用電源からの交流電圧を供給する電源コード１７を含むようにＵＳＢハブ１０を構成したものであった。
【特許文献１】特開２０００−２３１９６９号公報
【発明の開示】
【発明が解決しようとする課題】
【０００５】
しかしながら、前記従来の構成では、装置の動作中の短時間に限って消費電力値がパソコンからの電力供給を上回るという条件である場合であっても、その期間における電源供給を確保するためにＡＣコンセントにＡＣアダプタを接続する必要があり、電源コードなどの引き回しが手間となり、また無駄が大きいという課題を有しているものであった。
【０００６】
本発明は前記従来の課題を解決するもので、自身では電源供給が可能では無い電気装置を含む複数の電気装置を接続した状態で、使用可能な状態に電源供給を行い、かつ負荷変動などにより短時間の消費電力の増大があっても、電源供給可能な電気装置から供給電流値を所定以下に抑え、ＡＣアダプタが無くても信頼性の高い動作を行わせることを目的とする。
【課題を解決するための手段】
【０００７】
前記課題を解決するために、本発明の電源中継装置は、蓄電素子と充放電回路を有し、前記電気装置の内の電源供給可能な電気装置が存在する場合には、供給された電源を各電気装置に供給するとともに、前記充放電回路は前記蓄電素子を充放電することにより、電源供給の不足を防ぐ構成としたものである。
【０００８】
これによって、例えば短時間の消費電力の増大があっても、充放電回路が蓄電素子を放電させてパワーを取り出して融通させて使用することができることから、電源供給可能な電気装置からの供給電流を所定値に抑えた動作が可能となり、有効かつ信頼性の高い動作が可能となる。
【発明の効果】
【０００９】
本発明の電源中継装置は、蓄電素子を充放電して電源供給の不足を防ぐことから、電源供給可能な電気装置からの電源供給を有効に利用して各電気装置を動作させることができるものとなる。
【発明を実施するための最良の形態】
【００１０】
第１の発明は、複数の電気装置に接続可能な複数のコネクタと、蓄電素子と充放電回路を有し、前記電気装置の内の電源供給可能な電気装置が存在する場合には、供給された電源を各電気装置に供給するとともに、前記充放電回路は前記蓄電素子を充放電することにより、電源供給の不足を防ぐことにより、電源供給可能な電気装置からの電源供給を有効に利用して各電気装置を動作させることができる。
【００１１】
第２の発明は、特に、第１の発明のコネクタを信号線を含むもの、３つ以上とし、ハブ動作を行うことにより、各電気装置間の情報伝達を行いつつ、電源供給可能な電気装置からの電源供給を有効に利用して各電気装置を動作させることができる。
【００１２】
第３の発明は、特に、第１または第２の発明の蓄電素子を、電気二重層コンデンサとしたことにより、充放電回数の制限がなく、信頼性の高い電源供給が可能となるものである。
【００１３】
第４の発明は、特に、第１〜３のいずれか１つの発明の蓄電素子電圧を検知する電圧検知手段と電圧表示手段を有し、蓄電素子の電圧値によって異なる表示を行うことにより、蓄電素子からの電力供給の余裕度を使用者が知ることができるものとなり、より安心感の高い使用が可能となる。
【００１４】
第５の発明は、特に、第１〜４のいずれか１つの発明に無電源表示手段を設け、電源供給可能な電気装置がない場合にはその旨を表示するようにしたことにより、電源供給可能な電気装置が存在しない場合に、使用者に警告し、連続使用するためには電源供給可能な機器を接続することが必要であることを知らせ、使い勝手のよい装置を実現するものである。
【００１５】
第６の発明は、特に、第１〜５のいずれか１つの発明の充放電回路は、電流供給可能な電気装置から供給電流を検知する入力電流検知手段と、電流設定手段を有し、前記入力電流検知手段の出力が前記電流設定手段の出力に達した場合に前記蓄電素子を放電させてパワーを取り出し、前記供給電流を所定値以下に抑えることにより、電源供給可能な電気装置の電源供給の大きさを確実に管理することができ、安定に動作を行わせることができるものとなる。
【００１６】
第７の発明は、特に、第６の発明の電流設定手段を出力値が可変とすることにより、接続されている電源供給可能な電気装置の電源供給能力に応じて適切な電流設定値が設定できるので、電源供給能力を十分に活かしてかつ信頼性の高い動作が行えるものとなる。
【００１７】
第８の発明は、特に第６〜７のいずれか１つの発明の入力電流検知手段を２つ以上のコネクタに設けた構成とすることにより、それぞれの電源供給可能な電気装置の電源供給能力を有効に活かした動作が可能となる。
【００１８】
第９の発明は、特に、第１〜８のいずれか１つの発明に、追加の蓄電素子を接続する蓄電素子コネクタを有することにより、電源消費が大きい場合や、電流消費が電気装置からの電源供給能力を超える時間が長い場合などにも、蓄電素子を追加接続することにより解決できるものとなり、応用性の高いものとすることができる。
【００１９】
第１０の発明は、特に、第１〜９のいずれか１つの発明の蓄電素子に充電電流を供給する太陽電池を有する構成とすることにより、電気装置からの電源供給を少なく抑えながら大きな電源電流の供給が可能になり、省エネと動作の確実性の向上が図られるものとなる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における電源中継装置の回路図を示すものである。
【００２２】
図１において、シリアル通信回路１９、直流電源２０を含み電源供給が可能な電気装置２１、電気装置２２、電気装置２３は、それぞれ、コネクタ２４、２５、２６を有しており、電気中継装置２４には、コネクタ２４、２５、２６と勘合して接続することが可能なコネクタ３０、３１、３２が設けられている。
【００２３】
本実施例では、コネクタ２４、３１、３２は雌であって、コネクタ２５、２６、３０が雄の形状となっており、例えば電気装置２３を使用せず、電気装置２１、２２だけを使用する場合には、コネクタ２４とコネクタ２５を勘合させて接続し、使用することもできるものとなっている。
【００２４】
しかしながら、必ずしも本実施例のような雌雄のコネクタ形状であることが必要であるというものではなく、例えば雌雄の別無くどのコネクタも同形状であって、どのコネクタとも勘合できるという形状のものなどであってもかまわない。
【００２５】
その場合にはコネクタ２５、２６を直接勘合させることも可能であるが、電気装置２２、２３はいずれも電源供給ができないので、動作させることはできず、本実施例のような電源中継装置を使用して電気装置２１のような電源供給可能なものを接続して使用することになる。
【００２６】
本実施例では、電気装置２２、２３については内部に直流電源はないが、電気装置２１からの電源供給により動作することができるものとなっている。
【００２７】
さらに５０ファラッドの静電容量を有する電気二重層コンデンサ３３、３４を直列に接続して構成した蓄電素子３５と、蓄電素子３５を充放電する充放電回路３６を有している。
【００２８】
充放電回路３６は、電流供給可能な電気装置２１からの供給電流を検知する入力電流検知手段４０、外部から小型のドライバでまわすことにより調整が可能な半固定抵抗を使用した電流設定手段４１を有し、入力電流検知手段４０の出力が電流設定手段４１の出力を受ける増幅器が、両者の電位の差を検出して増幅し、入力電流検知手段４０の出力が電流設定手段４１の出力を超えそうになった場合には増幅器４２の出力電圧が上昇するものとなっている。
【００２９】
三角波発振回路４３は、１００ｋＨｚで三角波の電圧波形を発振するものであって、コンパレータ４４には、増幅器４２と三角波発振回路４３の出力が入力されて電位の大によりハイまたはローの信号が出力される。
【００３０】
トランジスタ４５、ダイオード４６、チョークコイル４７は、電気装置２１からの電源供給から蓄電素子３５の充電を行う場合の充電電流値を制御する降圧コンバータとして動作するものであり、トランジスタ４５のオンの比率が大きい程、充電電流が大きくなる。
【００３１】
コンパレータ４４の出力を受けるＮＯＴ回路４８は、出力がトランジスタ５０に接続されており、チョークコイル４７、ダイオード５１と共に、昇圧コンバータとして動作するものとなり、蓄電素子３５を放電して電気装置２２、２３に電源供給を行う。
【００３２】
ここで、蓄電素子３５への充電電流が大きいか、あるいは電気装置２２、２３の電源消費が大きいという理由により、電気装置２１からの電源供給が大きい場合には、入力電流検知手段４０の出力が電流設定手段４１を超えそうになった時点で、増幅器４２の出力電圧が低下し、コンパレータ４４の出力は、ハイの期間の比率が低下していく。
【００３３】
するとトランジスタ４５のオンの比率は減少し、逆にトランジスタ５０のオンの比率が増大するため、蓄電素子３５への充電が減少し、それでも入力電流検知手段４０の出力が大きい場合には、蓄電素子３５から昇圧動作に転じて、蓄電素子３５が放電され、取り出されたパワーが電気装置２２、２３に供給されるものとなり、その結果、電気装置２１からの電源供給の電流は所定値以下に抑えられるものとなる。
【００３４】
なお、本実施例においては、電流設定手段４１の出力値は、外部から小型ドライバで回すことにより可変となっている。
【００３５】
また、トランジスタ４５、５０のオン期間が重なると、電源がショートされることになるので、必要があればＮＯＴ回路４８にもう少し工夫を加え、デッドタイム、すなわちトランジスタの切り替わり期間に、例えば３マイクロ秒程度の同時ローの期間を設けるように構成にしても良い。
【００３６】
順方向の電圧降下が０．２Ｖ程度と小さいショットキー形のダイオード５２は、本実施例においては、コネクタ３０の電源供給のラインに設けられており、電気装置２１の元電源が切られた場合などに、蓄電素子３５から直流電源２０への電流の逆流を防ぐものとなっている。
【００３７】
ハブ回路６０は、コネクタ３０、３１、３２から接続されている信号線６１、６２、６３に接続されており、３者の内の２者を必要に応じて切り換えることにより、ハブとしての動作を行うものとなっている。
【００３８】
本実施例では、さらに蓄電素子３５の電圧を検知する電圧検知手段６５と、３つのＬＥＤ６６、６７、６８を用いた電圧表示手段６９が設けられており、蓄電素子３５の電圧値が高いほど、点灯する個数が多くなり、それが低くなるにつれて、３個→２個→１個→０個と減少していくものとなっている。
【００３９】
なお、本実施例においては、電気二重層コンデンサ３３、３４は、いずれも２．５ボルト耐圧のものを使用しており、電気装置２１から供給される直流の電源電圧は５Ｖであることから、充電しても充電しても、耐圧を超えることはなく、よって別段の充電完了時の充電動作の停止というような制御は行う必要がないものとなっているが、回路構成によっては、例えば蓄電素子３５の電圧の検知から、所定電圧に到達した時点で充電を停止するというような制御を行ってもかまわない。
【００４０】
また、無電源表示手段７０は、コネクタ３０の電源電圧を検知し、これが１Ｖ以下の場合には、電源供給可能な電気装置がないと判断して、ＬＥＤ７１を点滅させることで、その旨を表示するものとなっている。
【００４１】
なお、電圧検知手段６５と無電源表示手段７０は、本実施例においては、いずれも蓄電素子３５からの電源供給により動作するものとなっている。
【００４２】
ただし、電流設定手段４１については変動する蓄電素子３５の電圧をそのまま使用すると設定値が変動してしまうので、それを避けるために、抵抗５３、ツェナダイオード５４によって定電圧化して供給する構成としている。
【００４３】
蓄電素子３５には、追加の蓄電素子７５を接続するための蓄電素子コネクタ７６を有しており、さらに蓄電素子３５に充電電流を供給することのできる太陽電池８０が逆流防止用のダイオード８１と直列回路になった状態で接続されたものとなっている。
【００４４】
以上の構成により、本実施例の電源中継装置は、電流設定手段４１の設定値を超えない範囲で、電源供給可能な電気装置２１からの電源供給によって、電気装置２２、２３への電源供給を行うとともに、蓄電素子３５を充電しておき、電気装置２３、２３が必要とする電源供給が大となった期間には、蓄電素子３５が放電されてパワーが賄われることにより、電気装置２１からの電源供給能力がさほど大きくなくとも、有効に電源供給がなされるものとなる。
【００４５】
また、蓄電素子３５の電圧は、電圧表示手段６９によってモニタすることができることから、余裕の程度を目で見て確認することができ、さらに例えば大きな電源供給が必要な期間が長いというような場合には、追加の蓄電素子７５を蓄電素子コネクタ７６に接続することにより、安定した動作を行わせることができるようになる。
【００４６】
また、太陽電池８０に太陽の光、あるいは照明からの光を当てることにより、蓄電素子３５、７５への充電電流を補わせることができるものとなることから、その分電気装置２１からの電源供給が少なくとも済む省エネになるとともに、電源不足にもなりにくく、より安定に動作するものとすることができるものとなるものである。
【００４７】
よって本実施例の電源中継装置によれば、接続される電気装置のすべてに直流電源２０のような電源回路がなくとも、少なくとも１つの電気装置に電源供給を行える機能があれば、その電気装置から有効に他の電気装置にも電源の供給が可能となり、また電源供給が不足となることを極力防ぐことができ、例えばトランスなどの重量部品の使用を抑えて軽量とし、また商用電源への煩雑な接続の回数も抑えられ、使い勝手が極めて改善されるとなり、その上で安定に使用することができるものとなる。
【００４８】
なお、本実施例では電気装置を接続するためのコネクタ数を３つとしているが、特に３つに限定されるものではなく、２つ以上の数で適宜設計することができるものであり、２つの場合には、ハブ動作はできるものではないが、一方が電源供給可能な電気装置、他方を電源供給が可能でない電気装置として接続した状態で、電源供給を行いながら両者の動作、および通信も可能であり、短時間の電源消費が大きい期間があっても、蓄電素子の放電、もしくは太陽電池からの電力供給により、電圧のドロップによる動作停止などの不具合を防ぎながら、良好に動作を行わせ続けられるものとすることができるという効果はあるので、例えばＡＣ式アダプタなどを余分に持ち歩かなくとも、出張先などでも使用することができ、簡便である。
【００４９】
（実施の形態２）
図２は、本発明の第２の実施の形態における電源中継装置の回路図を示すものである。
【００５０】
図２において、電気装置１００、１０１、１０２は、それぞれコネクタ１０３、１０４、１０５を持っており、この内電気装置１００、１０１は、それぞれ直流電源１０６、１０７を内蔵していてコネクタ１０３、１０４を通じて他の電気装置に電源供給が可能なものとなっている。
【００５１】
電気装置１０２については、直流電源は持たないため、それ自身では動作することができず、もちろんコネクタ１０５を通じて他の機器に電源を供給することもできないものであり、逆にコネクタ１０５を通して電源供給を受けることによって初めて動作することができるものとなっている。
【００５２】
コネクタ１０３、１０４、１０５に勘合が可能なコネクタ１１０、１１１、１１２は、いずれも電源線が入力電流検知手段１１３、１１４、１１５に接続された上で、充放電回路１２１に接続されている。
【００５３】
充放電回路１２１は、まずダイオード１１８、１１９、１２０と、トランジスタ１２２、１２３、１２４のコレクタに接続され、トランジスタ１２２、１２３、１２４のエミッタは共通に接続されて、ダイオード１２６、およびチョークコイル１２７、蓄電素子１３０の直列回路に接続されている。
【００５４】
なお、本実施例においても蓄電素子１３０は２．５ボルト耐圧で５０ファラッドの静電容量を持つ２つの電気二重層コンデンサ１３１、１３２を直列に接続して用いる構成となっている。
【００５５】
トランジスタ１２２、１２３、１２４の共通エミッタにはトランジスタ１３６、ダイオード１３７も接続されており、ダイオード１３７のカソードには電解式のコンデンサ１３８も接続されている。
【００５６】
そして、コンデンサ１３８からは、充放電回路１２１の出力端子として、リレー１４０、１４１、１４２で構成した電源出力切替手段１４３に接続され、その先にはコネクタ１１０、１１１、１１２それぞれの電源端子に接続がなさ、各コネクタから他の電気装置へ電源の供給をする構成となっている。
【００５７】
本実施例では、入力電流検知手段１１３、１１４、１１５の出力信号は制御回路１５０に接続されており、トランジスタ１１２、１１３、１１４、１３６それぞれのベース端子にも接続されていてオンオフのコントロールを行うものとなっている。
【００５８】
また、電源出力切替手段１４３のリレー１４０、１４１、１４２についても、制御回路１５０からの信号によってオンオフがなされる構成となっている。
【００５９】
ハブ回路１６０は、コネクタ１１０、１１１、１１２それぞれから接続された信号線１６１、１６２、１６３につながっていて、信号の切替を行うことによってハブ動作をするものとなっている。
【００６０】
なお、制御回路１５０、ハブ回路１６０は、本実施例においては、入力電流検知手段１１３、１１４、１１５それぞれの出口側の端子に接続されたダイオード１６６、１６７、１６８を通じて電源を得るものとなっている。
【００６１】
以上の構成において、動作の説明を行う。
【００６２】
制御回路１５０は、電気装置１００、１０１、１０２が接続され、電気装置１００、１０１からの電源供給を受けた状態で、ダイオード１６６、１６７からの電源供給を受けて動作を開始し、トランジスタ１２２、１２３、１２４を１００ｋＨｚでオンオフする動作を開始する。
【００６３】
これによって、トランジスタ１２２、１２３、ダイオード１２６、チョークコイル１２７が降圧コンバータとして動作して、蓄電素子１３０の充電が開始される。
【００６４】
ここで、電気装置１０２に関しては電源供給の機能が無いことから、トランジスタ１２４をオンオフしても入力電流検知手段１１５の出力はほぼ零となるので、制御回路１５０は、コネクタ１１２に対しては、電源を出力する必要があるものと判断し、電源出力切替手段１４３のリレー１４２をオンにするとともに、以降トランジスタ１２４をオフの状態に保つものとする。
【００６５】
制御回路１５０がトランジスタ１３６をオンオフすることにより、蓄電素子１３０から昇圧コンバータとしてチョークコイル１２７、ダイオード１３７を経由した電流がコンデンサ１３８に供給され、さらにスイッチ１４２を経て、電気装置１０２に供給されるモノとなる。
【００６６】
ここで、トランジスタ１３６のオン期間の比率は、制御回路１５０によって、コンデンサ１３８の電圧が所定電圧（５Ｖ）となるように加減されるが、トランジスタ１２２、１２３のオン期間と重なると電源ラインがショートすることになるため、トランジスタ１２２、１２３のオフの期間において、トランジスタ１３６がオンされるものとなっている。
【００６７】
このような動作により、電気装置１００、１０１、１０２はいずれも電源が供給されて動作が可能な状態となる。
【００６８】
本実施例では、電気装置が接続できる３つのコネクタのすべてに入力電流検知手段１１３、１１４、１１５を設けており、コネクタから電源供給を受ける場合の電流値を制御回路１５０の内部で５００ｍＡ以下と設定している。
【００６９】
よって、本実施例の接続においては、電気装置１００、１０１からの電源供給は、入力電流検知手段１１３、１１４のいずれについても５００ｍＡを上限とする動作に制限されるものとなり、電流値が制限値に達すると、トランジスタ１１２、１１３の内の当該のものは、オン時間の比率が小さくなり、制限されるものとなる。
【００７０】
このように、複数のコネクタに対して、複数の入力電流検知手段を別々に設け、独立して制御がかかる構成としていることから、例えば直流電源１０６と直流電源１０７の電圧バラツキなどのため、トランジスタ１２２、１２３を同一のオン時間比率で運転した場合には各入力電流値に差が生ずることもあり得るが、本実施例にある構成によれば、コネクタ毎にそれぞれの入力電流値が制御できるものとなり、有効かつ安定に電源供給を行わせることができるものとなる。
【００７１】
ただし、個別に入力電流の設定値を変えるようにしてもかまわず、例えば半固定抵抗などで、コネクタ毎の電流の上限をセットできるようにしても良い。
【００７２】
また、本実施例では入力電流検知手段は３つのコネクタそれぞれに設けているものとなっているが、例えば電流供給の機能がない電気装置を接続することが確定的な場合などには、入力の電流値を検知する必要がないので省いてもよくコネクタ数と入力電流検知手段の数は同じでなくてもかまわない。
【００７３】
このようにして動作中に例えば電気装置１０２の動作状況によって、短時間の電源電流の増大が有った場合には、電気装置１００、１０１からの電源供給では不足となるが、蓄電素子１３０が放電されることにより、パワーがまかなわれるので、動作を続けることができるものとなる。
【００７４】
なお、ハブ回路１６０を通じてデータの通信も行うことが可能であり、必要に応じて各種のデータファイルなどが転送されたりして複雑な動作をさせることもできるものとなる。
【００７５】
以上のように、本実施例においては、電源供給が可能な電気装置と電源供給が可能でない電気装置を組み合わせて本電源中継装置に接続することにより、電源供給が可能な電気装置から自動的に電源供給がなされて複数の電気装置を良好に働かせることが可能であり、かつ電源供給が可能な電気装置からの電源供給が短時間不足することがあっても、蓄電素子の放電により得られるパワーで、融通することができるものとなる。
【産業上の利用可能性】
【００７６】
以上のように、本発明にかかる電源中継装置は、接続される電気装置の電源消費が大きい期間があっても、蓄電素子の充放電により電源供給可能な電気装置からの電源供給を抑えることができることから、電気装置の電源供給を有効に利用することができ、別電源などを用いることなく、簡便な構成で動作させることができる。
【図面の簡単な説明】
【００７７】
【図１】本発明の実施の形態１における電源中継装置の回路図
【図２】本発明の実施の形態２における電源中継装置の回路図
【図３】従来の電源中継装置の回路図
【符号の説明】
【００７８】
３０、３１、３２  コネクタ
３３、３４  電気二重層コンデンサ
３５、１３０  蓄電素子
３６  充放電回路
４０  入力電流検知手段
４１  電流設定手段
６１、６２、６３  信号線
６５  電圧検知手段
６９  電圧表示手段
７０  無電源表示手段
７６  蓄電素子コネクタ
８０  太陽電池
１１０、１１１、１１２  コネクタ
１１３、１１４、１１５  入力電流検知手段
１２１  充放電回路
１３０  蓄電素子
１３１、１３２  電気二重層コンデンサ
１６１、１６２、１６３  信号線
【図１】
2005218149.tif 000003
【図２】
2005218149.tif 000004
【図３】
2005218149.tif 000005